(57)【要約】  少なくとも１つの紡糸電極３と紡糸電極３に対向して配置された収集電極４との間の静電界中において液体マトリックス３８を紡糸する方法であって、電極の一方が高電圧源の一方の極に接続し、第２の電極が高電圧源の反対の極に接続するか又は接地し、紡糸される液体マトリックス３８を静電界中において紡糸電極３の紡糸手段３１のコード３１０の活性紡糸区間３１００に存在させる、紡糸する方法。紡糸プロセスの間、コードの活性紡糸区間３１００が、収集電極４に対して安定な位置を取るようにし、液体マトリックス３８を、コードの活性紡糸区間３１００への塗布、又はコード３１０の長さ方向の運動のいずれかによってコードの活性紡糸区間３１００へ送る。さらに、本発明方法のためのナノファイバ製造装置並びに紡糸電極３に関する。
2010533797.tif 000002
【特許請求の範囲】
【請求項１】
少なくとも１つの紡糸電極（３）と前記紡糸電極（３）に対向して配置された収集電極（４）との間の静電界中において液体マトリックス（３８）を紡糸する方法であって、
電極（３、４）のうちの一方を高電圧源の一方の極に接続し、第２の電極（４、３）を高電圧源の反対の極に接続するか又は接地し、
紡糸される液体マトリックス（３８）を、静電界中において、前記紡糸電極（３）の紡糸手段（３１）のコード（３１０）の活性紡糸区間（３１００）に存在させる、紡糸する方法において、
紡糸プロセスの間、前記コードの前記活性紡糸区間（３１００）が、前記収集電極（４）に対して安定した位置を取るようにし、前記液体マトリックス（３８）を、前記コードの前記活性紡糸区間（３１００）への塗布、又は前記コード（３１０）の長さ方向の運動のいずれかによって、前記コードの前記活性紡糸区間（３１００）へ送ることを特徴とする紡糸する方法。
【請求項２】
紡糸の間、静電界中において、前記コード（３１０）の静止した前記活性紡糸区間（３１００）に前記液体マトリックス（３８）を塗布し、さらに、必要な場合には、紡糸によって及び／又は周囲の雰囲気の影響によって質が低下した前記液体マトリックス（３８）を、前記静止した活性紡糸区間（３１００）から拭き取ることを特徴とする、請求項１に記載された紡糸する方法。
【請求項３】
前記液体マトリックス（３８）を、静電界中において、前記コードの前記静止した活性紡糸区間（３１００）に随意的な間隔で塗布し、前記質が低下した液体マトリックス（３８）を、前記活性紡糸区間から異なる随意的な間隔で拭き取ることを特徴とする、請求項２に記載された紡糸する方法。
【請求項４】
前記質が低下した液体マトリックス（３８）の前記コードの前記活性紡糸区間（３１００）からの拭き取りを、前記コードの活性紡糸区間（３１００）に前記液体マトリックス（３８）を塗布する前に実施することを特徴とする、請求項３に記載された紡糸する方法。
【請求項５】
前記拭き取りを、前記液体マトリックス（３８）の各塗布の前に実施することを特徴とする、請求項４に記載された紡糸する方法。
【請求項６】
前記紡糸電極（３）が、一つの平面内に隣り合って配置された、より多くの前記コード（３１０）の活性紡糸区間（３１００）を含み、前記紡糸電極（３）における前記コードの活性紡糸区間（３１００）からの質が低下して固着した液体マトリックス（３８）の拭き取りが、より多くの前記コードの活性紡糸区間（３１００）において同時に行われ、順に続く前記コードの活性紡糸区間（３１００）が拭き取られる間、常に少なくとも１つの前記コードの活性紡糸区間（３１００）が、塗布された液体マトリックス（３８）を伴うことを特徴とする、請求項２から請求項５までのいずれか一項に記載された紡糸する方法。
【請求項７】
前記コードの前記活性紡糸区間（３１００）を、その長さ方向に、静電界を通って、連続的に又は断続的に動かすことを特徴とする、請求項１に記載された紡糸する方法。
【請求項８】
紡糸の間、前記液体マトリックス（３８）を、前記コードの前記活性紡糸区間（３１００）に、静電界中において塗布することを特徴とする、請求項７に記載された紡糸する方法。
【請求項９】
前記液体マトリックス（３８）を、前記コード（３１０）の長さ方向の運動において、前記コードの前記活性紡糸区間（３１００）に塗布することを特徴とする、請求項８に記載された紡糸する方法。
【請求項１０】
前記液体マトリックス（３８）を、動いていない前記コードの前記活性紡糸区間（３１００）に塗布することを特徴とする、請求項８に記載された紡糸する方法。
【請求項１１】
前記コード（３１０）が前記活性紡糸区間（３１００）に進入する前に、前記液体マトリックス（３８）を前記コード（３１０）に塗布することを特徴とする、請求項７に記載された紡糸する方法。
【請求項１２】
少なくとも１つの紡糸電極（３）と前記紡糸電極（３）に対向して配置された収集電極（４）との間の静電界中において液体マトリックス（３８）の静電紡糸によりナノファイバを製造する装置であって、
電極（３、４）のうちの一方が高電圧源の一方の極に接続され、第２の電極（４、３）が高電圧源の反対の極に接続されるか又は接地されており、前記紡糸電極（３）が、コード（３１０）を有する少なくとも１つの紡糸部材（３１）を含み、前記コード（３１０）は、ナノファイバ（５）を堆積する平面及び／又は収集電極（４）に平行な直線部分を含み、前記直線部分が前記コードの活性紡糸区間（３１００）を形成する、ナノファイバを製造する装置において、
前記紡糸部材（３１）の前記コード（３１０）の前記活性紡糸区間（３１００）が前記収集電極（４）に対して安定した位置を取り、前記液体マトリックス（３８）の塗布装置（３７）が、前記コード（３１０）に向けて配置されていることを特徴とする、ナノファイバを製造する装置。
【請求項１３】
前記コード（３１０）が静止したコードであり、前記コードの前記活性紡糸区間（３１００）への前記液体マトリックス（３８）の前記塗布装置（３７）、及び前記コードの活性紡糸区間（３１００）からの前記液体マトリックス（３８）の拭き取り装置（３７０）が、前記コードの活性紡糸区間（３１００）に向けて配置されていることを特徴とする、請求項１２に記載された、ナノファイバを製造する装置。
【請求項１４】
前記コードの前記活性紡糸区間（３１００）への前記液体マトリックス（３８）の前記塗布装置（３７）、及び前記コードの前記活性紡糸区間（３１００）からの前記液体マトリックス（３８）の前記拭き取り装置（３７０）が、前記紡糸電極（３）の収容体（３２）の中に装着され、前記コードの前記活性紡糸区間（３１００）に沿って逆行可能で移動可能に装着されていることを特徴とする、請求項１３に記載された、ナノファイバを製造する装置。
【請求項１５】
前記コードの前記活性紡糸区間（３１００）への前記液体マトリックス（３８）の前記塗布装置（３７）、及び前記活性紡糸区間からの前記液体マトリックス（３８）の前記拭き取り装置（３７０）が、前記コードの前記活性紡糸区間（３１００）に向かう方向に、逆行可能で移動可能に配置されていることを特徴とする、請求項１３に記載された、ナノファイバを製造する装置。
【請求項１６】
前記コード（３１０）が、その長さ方向に動かせるように装着されていることを特徴とする、請求項１２に記載された、ナノファイバを製造する装置。
【請求項１７】
前記紡糸部材（３１）の前記コード（３１０）が、前記コードの前記活性紡糸区間（３１００）より数倍長い一定の長さを有し、その始まりが巻き戻しリール（３１１）に装着され、その終わりが巻き取りリール（３１２）に装着され、前記巻き取りリール（３１２）が巻き取り駆動体（３６）と結合されていることを特徴とする、請求項１６に記載された、ナノファイバを製造する装置。
【請求項１８】
前記巻き戻しリール（３１１）が巻き戻し駆動体（３４）と結合されていることを特徴とする、請求項１７に記載された、ナノファイバを製造する装置。
【請求項１９】
前記液体マトリックス（３８）のスパットル（３７５）が、前記活性紡糸区間（３１００）の裏側の前記コード（３１０）の運動方向において、前記コード（３１０）の軌道の中の前記巻き取りリール（３１２）の前に配置されていることを特徴とする、請求項１７又は請求項１８に記載された、ナノファイバを製造する装置。
【請求項２０】
前記紡糸部材（３１）の前記コード（３１０）が、少なくとも駆動プーリ（３１３）の周り及び伸張プーリ（３１４）の周りに掛けられたエンドレス・ループで形成されていることを特徴とする、請求項１６に記載された、ナノファイバを製造する装置。
【請求項２１】
前記紡糸部材（３１）の前記コード（３１０）が、２つの活性紡糸区間（３１００）を有し、前記２つの活性紡糸区間（３１００）は、ナノファイバを堆積するための平面及び／又は前記収集電極（４）に平行な平面内に配置され、活性紡糸区間（３１００）の前記コード（３１０）の運動方向が反対方向であることを特徴とする、請求項１６から請求項２０までのいずれか一項に記載された、ナノファイバを製造する装置。
【請求項２２】
前記コードの前記活性紡糸区間（３１００）への前記液体マトリックス（３８）の前記塗布装置（３７）が、前記紡糸電極（３）の前記収容体（３２）の中で、前記コードの前記活性紡糸区間（３１００）に沿って逆行可能で移動可能に装着されていることを特徴とする、請求項１６から請求項２１までのいずれか一項に記載された、ナノファイバを製造する装置。
【請求項２３】
前記コードの前記活性紡糸区間（３１００）への前記液体マトリックス（３８）の前記塗布装置（３７）が、前記コードの前記活性紡糸区間（３１００）に対して近づいたり離れたりする方向に逆行可能に配置されていることを特徴とする、請求項２２に記載された、ナノファイバを製造する装置。
【請求項２４】
前記装置が、前記コード（３１０）を備える少なくとも２つの隣り合って配置された紡糸部材（３１）を含み、前記コード（３１０）の活性紡糸区間（３１００）が、前記収集電極（４）又は前記収集電極の平面に平行な平面内に配置されていることを特徴とする、請求項１２から請求項２３までのいずれか一項に記載された、ナノファイバを製造する装置。
【請求項２５】
前記コードの前記活性紡糸区間（３１００）への前記液体マトリックス（３８）の前記塗布装置（３７）が、毛細管塗布手段（３７２１）を含むことを特徴とする、請求項１２から請求項２４までのいずれか一項に記載された、ナノファイバを製造する装置。
【請求項２６】
前記液体マトリックス（３８）の前記塗布装置（３７）が、液体マトリックス（３８）の前記容器（３７２２）を備え、塗布ローラ（３７２３）が、前記容器（３７２２）の中に回動可能に装着され、前記塗布ローラ（３７２３）の周囲の一部分が容器（３７２２）内の前記液体マトリックス（３８）の液位の下まで延びており、前記塗布ローラ（３７２３）が、その塗布位置において前記コードの前記活性紡糸区間（３１００）に接触することを特徴とする、請求項１２から請求項２４までのいずれか一項に記載された、ナノファイバを製造する装置。
【請求項２７】
前記液体マトリックスの前記塗布装置（３７）が、前記コードの運動方向に、前記コードの前記活性紡糸区間（３１００）の前に配置されていることを特徴とする、請求項１６から請求項２１までのいずれか一項に記載された、ナノファイバを製造する装置。
【請求項２８】
前記液体マトリックス（３８）の前記塗布装置（３７）が、巻き戻しリール（３１１）で形成され、前記巻き戻しリール（３１１）は、液体マトリックス（３８）の容器の中に装着され、前記コード（３１０）が掛けられたその周囲の一部分が、容器内の前記液体マトリックス（３８）の液位の下まで延びていることを特徴とする、請求項２７に記載された、ナノファイバを製造する装置。
【請求項２９】
前記液体マトリックス（３８）の前記塗布装置（３７）が、駆動プーリ（３１３）で形成され、前記駆動プーリ（３１３）は、前記液体マトリックス（３８）の容器の中に装着され、前記コード（３１０）が掛けられたその周囲の一部分が容器内の前記液体マトリックス（３８）の液位の下まで延びていることを特徴とする、請求項２７に記載された、ナノファイバを製造する装置。
【請求項３０】
前記コードの前記活性紡糸区間（３１００）が、製造されたナノファイバ（８）層を取り外す方向と平行であることを特徴とする、請求項１２から請求項２９までのいずれか一項に記載された、ナノファイバを製造する装置。
【請求項３１】
前記コードの前記活性紡糸区間（３１００）が、製造されたナノファイバ（８）層を取り外す方向と直交することを特徴とする、請求項１２から請求項２９までのいずれか一項に記載された、ナノファイバを製造する装置。
【請求項３２】
前記コードの前記活性紡糸区間（３１００）が、製造されたナノファイバ（８）層を取り外す方向と鋭角又は鈍角を成すことを特徴とする、請求項１２から請求項２９までのいずれか一項に記載された、ナノファイバを製造する装置。
【請求項３３】
前記コード（３１０）が導電性材料で作製されていることを特徴とする、請求項１２から請求項３２までのいずれか一項に記載された、ナノファイバを製造する装置。
【請求項３４】
前記コード（３１０）が非導電性材料で作製され、電流が前記液体マトリックスの中に供給され、前記コード（３１０）又は少なくともその活性紡糸部分（３１００）が前記液体マトリックスと恒常的に接触していることを特徴とする、請求項１２から請求項３２までのいずれか一項に記載された、ナノファイバを製造する装置。
【請求項３５】
少なくとも１つの紡糸電極と前記紡糸電極に対向して配置された少なくとも１つの収集電極との間に生成される電界中において液体マトリックスの静電紡糸によりナノファイバを製造する装置の紡糸電極であって、
電極のうちの一方が高電圧源の一方の極に接続され、第２の電極が高電圧源の反対の極に接続されるか又は接地されており、前記紡糸電極が、少なくとも１つの紡糸部材を含み、前記紡糸部材が、前記紡糸電極の収容体の中に装着され、コードを有しており、前記コードは、ナノファイバを堆積する平面及び／又は収集電極に平行な直線部分を含み、前記直線部分がコードの活性紡糸区間を形成する、紡糸電極において、
前記コード（３１０）の前記活性紡糸区間（３１００）が、前記紡糸電極（３）の前記収容体（３２）の中で安定した位置を取り、前記紡糸電極（３）の前記収容体（３２）の中に配置された前記コード（３１０）への前記液体マトリックス（３８）の塗布装置（３７）が、前記コード（３１０）に向けて配置されていることを特徴とする紡糸電極。
【請求項３６】
前記コード（３１０）が静止したコードであり、前記コードの前記活性紡糸区間（３１００）への前記液体マトリックス（３８）の前記塗布装置（３７）、及び前記コードの前記活性紡糸区間（３１００）からの質が低下した液体マトリックス（３８）の拭き取り装置（３７０）が、前記コードの活性紡糸区間（３１００）に向けて配置されていることを特徴とする、請求項３５に記載された紡糸電極。
【請求項３７】
前記コードの前記活性紡糸区間（３１００）への前記液体マトリックス（３８）の前記塗布装置（３７）、及び前記コードの前記活性紡糸区間（３１００）からの前記液体マトリックス（３８）の前記拭き取り装置（３７０）が、前記紡糸電極（３）の前記収容体（３２）の中に装着され、前記コードの前記活性紡糸区間（３１００）の長さ方向に逆行可能で移動可能に装着されていることを特徴とする、請求項３６に記載された紡糸電極。
【請求項３８】
前記コードの前記活性紡糸区間（３１００）への前記液体マトリックス（３８）の前記塗布装置（３７）、及び前記活性紡糸区間からの前記液体マトリックス（３８）の前記拭き取り装置（３７０）が、前記紡糸電極（３）の前記収容体（３２）の中に、前記コードの前記活性紡糸区間（３１００）に向かう方向に、逆行可能で移動可能に装着されていることを特徴とする、請求項３７に記載された紡糸電極。
【請求項３９】
前記紡糸電極（３２）の前記収容体（３２）の中の前記コード（３１０）が、その長さ方向に動かせるように装着されていることを特徴とする、請求項３５に記載された紡糸電極。
【請求項４０】
前記紡糸部材（３１）の前記コード（３１０）が、前記コードの前記活性紡糸区間（３１００）より数倍長い一定の長さを有し、その始まりが、前記収容体（３２）の中に回動可能に装着された巻き戻しリール（３１１）に装着され、その終わりが、前記収容体（３２）の中に回動可能に装着された巻き取りリール（３１２）に装着され、前記巻き取りリール（３１２）が巻き取り駆動体（３６）と結合されていることを特徴とする、請求項３９に記載された紡糸電極。
【請求項４１】
前記巻き戻しリール（３１１）が巻き戻し駆動体（３４）と結合されていることを特徴とする、請求項３０に記載された紡糸電極。
【請求項４２】
前記液体マトリックス（３８）のスパットル（３７５）が、前記活性紡糸区間（３１００）の裏側の前記コード（３１０）の運動方向において、前記コード（３１０）の軌道の中の前記巻き取りリール（３１２）の前に配置されていることを特徴とする、請求項４０又は請求項４１に記載された紡糸電極。
【請求項４３】
前記紡糸部材（３１）の前記コード（３１０）が、少なくとも駆動プーリ（３１３）の周り及び伸張プーリ（３１４）の周りに掛けられたエンドレス・ループで形成され、前記駆動プーリ及び前記伸張プーリが前記収容体（３２）の中に回動可能に装着されていることを特徴とする、請求項３９に記載された紡糸電極。
【請求項４４】
前記紡糸部材（３１）の前記コード（３１０）が、２つの活性紡糸区間（３１００）を有し、前記２つの活性紡糸区間（３１００）は、ナノファイバを堆積するための平面及び／又は前記収集電極（４）に平行な平面内に配置され、活性紡糸区間（３１００）の前記コード（３１０）の方向が反対方向であることを特徴とする、請求項３９から請求項４３までのいずれか一項に記載された紡糸電極。
【請求項４５】
前記コードの前記活性紡糸区間（３１００）への前記液体マトリックス（３８）の前記塗布装置（３７）が、前記紡糸電極（３）の前記収容体（３２）の中で、前記コードの前記活性紡糸区間（３１００）に沿って逆行可能で移動可能に装着されていることを特徴とする、請求項３９から請求項４４までのいずれか一項に記載された紡糸電極。
【請求項４６】
前記コードの前記活性紡糸区間（３１００）への前記液体マトリックス（３８）の前記塗布装置（３７）が、前記コードの前記活性紡糸区間（３１００）に対して近づいたり離れたりする方向に逆行可能で移動可能に装着されていることを特徴とする、請求項４５に記載された紡糸電極。
【請求項４７】
前記紡糸電極が、前記コード（３１０）を備える少なくとも２つの隣り合って配置された紡糸部材（３１）を含み、前記コード（３１０）の活性紡糸区間（３１００）が一つの平面内に配置されていることを特徴とする、請求項３９から請求項４６までのいずれか一項に記載された紡糸電極。
【請求項４８】
前記コードの前記活性紡糸区間（３１００）への前記液体マトリックス（３８）の前記塗布装置（３７）が、毛細管塗布手段（３７２１）を含むことを特徴とする、請求項３５から請求項４７までのいずれか一項に記載された紡糸電極。
【請求項４９】
前記液体マトリックス（３８）の前記塗布装置（３７）が、液体マトリックス（３８）の前記容器（３７２２）を備え、塗布ローラ（３７２３）が、前記容器（３７２２）の中に回動可能に装着され、前記塗布ローラ（３７２３）の周囲の一部分が前記容器（３７２２）内の前記液体マトリックス（３８）の液位の下まで延びており、前記塗布ローラ（３７２３）が、塗布位置において前記コードの前記活性紡糸区間（３１００）に接触することを特徴とする、請求項３５から請求項４７までのいずれか一項に記載された紡糸電極。
【請求項５０】
前記液体マトリックスの前記塗布装置（３７）が、前記コードの運動方向に、前記コードの前記活性紡糸区間（３１００）の前に配置されていることを特徴とする、請求項３９から請求項４４までのいずれか一項に記載された紡糸電極。
【請求項５１】
前記液体マトリックス（３８）の前記塗布装置（３７）が、巻き戻しリール（３１１）で形成され、前記巻き戻しリール（３１１）は、前記収容体（３２）の中に配置された液体マトリックス（３８）の前記容器の中に装着され、掛けられたコードの周囲の一部分が、容器内の前記液体マトリックス（３８）の液位の下まで延びていることを特徴とする、請求項５０に記載された紡糸電極。
【請求項５２】
前記液体マトリックス（３８）の前記塗布装置（３７）が、駆動プーリ（３１３）で形成され、前記駆動プーリ（３１３）は、前記液体マトリックス（３８）の容器の中に装着され、掛けられたコードの周囲の一部分が容器内の前記液体マトリックス（３８）の液位の下まで延びていることを特徴とする、請求項５０に記載された紡糸電極。
【請求項５３】
前記コード（３１０）が導電性材料で作製されていることを特徴とする、請求項３５から請求項５２までのいずれか一項に記載された紡糸電極。
【請求項５４】
前記コード（３１０）が非導電性材料で作製され、電流がポリマー溶液に供給され、前記コード（３１０）又は少なくともその活性紡糸区間（３１００）が前記ポリマー溶液と恒常的に接触していることを特徴とする、請求項３５から請求項５２までのいずれか一項に記載された紡糸電極。
【発明の詳細な説明】
【技術分野】
【０００１】
本発明は、少なくとも１つの紡糸電極とその紡糸電極に対向して配置された収集電極との間の静電界中において液体マトリックスを紡糸する方法であって、電極のうちの一方を高電圧源の一方の極に接続し、第２の電極を接地しており、紡糸される液体マトリックスを、静電界中において、紡糸電極の紡糸手段のコードの活性紡糸区間（ａｃｔｉｖｅ  ｓｐｉｎｎｉｎｇ  ｚｏｎｅ）に存在させる、方法に関するものである。
【０００２】
次に、本発明は、少なくとも１つの紡糸電極とその紡糸電極に対向して配置された収集電極との間の電界中において液体マトリックスの静電紡糸によりナノファイバを製造する装置であって、電極のうちの一方が高電圧源の一方の極に接続され、第２の電極が高電圧源の反対の極に接続されるか又は接地されており、紡糸電極が、コードを有する少なくとも１つの紡糸部材を含み、そのコードは、ナノファイバを堆積する平面及び／又は収集電極に平行な直線部分を含み、その直線部分が活性紡糸区間を形成する、ナノファイバを製造する装置に関するものである。
【０００３】
次に、本発明は、少なくとも１つの紡糸電極とその紡糸電極に対向して配置された少なくとも１つの収集電極との間の電界中において液体マトリックスの静電紡糸によりナノファイバを製造する装置の紡糸電極であって、電極のうちの一方が高電圧源の一方の極に接続され、第２の電極が高電圧源の反対の極に接続されるか又は接地されており、紡糸電極が少なくとも１つの紡糸部材を含み、その紡糸部材は、紡糸電極の収容体の中に装着され、コードを有しており、そのコードは、ナノファイバを堆積する平面及び／又は収集電極と平行な直線部分を含む、紡糸電極に関するものである。
【背景技術】
【０００４】
独国特許発明第１０１３６２５５号（ＤＥ１０１３６２５５Ｂ４）には、２つの誘導シリンダの周りに掛けられた（ｂｅｌｔｅｄ）一対のエンドレス・ストライプ上に位置する平行ワイヤ・システムで形成された紡糸電極によって、ポリマー溶液又はポリマー融液から繊維を製造する装置が開示されている。誘導シリンダは互いに上下に配置され、下の誘導シリンダはポリマー溶液又はポリマー融液の中に延びている。紡糸電極は、導電性回転ストライプ（ｓｔｒｉｐｅ）により形成される対向電極と共に高電圧源に接続される。ポリマー溶液又はポリマー融液は、ワイヤで紡糸電極と対向電極との間の電界の中に運び出され、ポリマー溶液又はポリマー融液から繊維が生成され、対向電極に向かって運ばれて対向電極に位置する織布（ｗｅｂ）に落下する。不利な点は、ポリマー溶液又はポリマー融液が電界中に長時間留まることである。というのは、ポリマー溶液もポリマー融液もすぐに古くなり、紡糸プロセスの間に、ポリマーはその特性が変わるため、生成された繊維のパラメータ、とりわけ直径が変化するからである。他の不利な点は、一対のエンドレス・ストライプ上の、紡糸電極のワイヤの位置決めである。そのワイヤは導電性でなければならず、紡糸電極と対向電極との間に生成される電界に対して非常に悪影響を与える。
【０００５】
さらに、米国特許第４１４４５３３号（ＵＳ４１４４５３３）により、適切な電界により、基層材料上に固体物質の溶液、分散物及び混合物を電気力学的に塗布する装置が知られている。その装置は、塗布物質が入った２つの容器を含み、その容器の中にはエンドレス・ストライプが掛けられたプーリが配置され、そのプーリにより物質は電界中に送られ、その電界中においてその物質は基層材料に塗布され、その基層材料は次いで、エンドレス・ストライプの一側面又は両側面に進む。この装置は繊維を製造することはできず、単に、溶液および分散物などを塗布するように作動する。
【０００６】
さらに、例えば国際公開第２００５／０２４１０１号（ＷＯ２００５／０２４１０１Ａ１）により、長円形の回転紡糸電極を含む、ポリマー溶液の静電紡糸によるナノファイバ製造装置が知られている。この装置は、円筒形の紡糸電極を含み、その紡糸電極は、その主軸を中心に回転し、その表面の下部がポリマー溶液中に浸かっている。ポリマー溶液は、円筒表面により、紡糸電極と収集電極との間の電界中に運び出され、そこでナノファイバが生成され、ナノファイバは収集電極に向かって運ばれ、収集電極の手前でナノファイバは基層材料上に堆積する。この装置は、ポリマー水溶液から非常に良好なナノファイバを製造することができるが、非水溶媒中で可溶性のポリマー溶液をこの装置で処理することは極めて困難である。さらに、基層材料上に塗布されたナノファイバ層は、均一ではない。
【０００７】
生成されるナノファイバ層の均一性は、チェコ共和国特許第２００５−３６０号（ＣＺ  ＰＶ  ２００５−３６０）による装置により達成される。この装置では、紡糸電極が、その回転軸に対して半径方向及び長手方向に配置された薄層システムを含む。ポリマー溶液を電界中に運び出すように働く紡糸電極の表面の一部分の被覆表面が、被覆表面を有する。被覆表面は、紡糸電極の軸を通過し、基層材料の平面に直交する平面の中に、紡糸電極と収集電極との間の最強電界の等電位線を形成している。そのような紡糸電極は、十分な量のポリマー溶液を、紡糸電極と収集電極との間の電界の最適な場所に運び出し、同時にポリマーの非水溶液も極めて良好に紡糸し、ナノファイバの均一な層を生成することができる。しかし、不利な点は、そのような紡糸電極の難度の高い製造であり、また、難度の高い製造によるその価格である。
【０００８】
製造に関しては、チェコ共和国特許第２００６−５４５号（ＣＺ  ＰＶ  ２００６−５４５）による紡糸電極が、より低コストであるように思われる。その紡糸電極は、一対の面を含み、それらの面の間に、ワイヤで形成された紡糸部材が、その面の周囲に均等に分配されて装着される。それらの面は非導電性材料で作製され、全紡糸部材は導電方式で互いに電気的に接続される。この方法で生成された回転紡糸電極は、水溶性並びに非水溶性のポリマー溶液を紡糸することができ、この回転紡糸電極は、その全長に沿って、その均一性に関して極めて高い紡糸効果を達成する。紡糸用電界は、紡糸部材がポリマー溶液から出た後、収集電極に向かって徐々に接近する間に、個別の紡糸部材の間に形成される。
【０００９】
長円形の回転紡糸電極を含む、ポリマー溶液の静電紡糸によるナノファイバ製造装置と同様に、すべての長円形の回転紡糸電極の不利な点は、とりわけ、ポリマー溶液の容器内のポリマー溶液が大量であることである。紡糸電極の表面の一部分は、このポリマー溶液の中へ延在する。容器は大きく開かれた表面を有し、その表面において、ポリマー溶液から甚だしい溶媒の蒸発が発生するのみでなく、例えば、吸湿性溶媒を含む溶液において、ポリマー溶液は急速に濃くなり且つ古くなり、絶えず追加及び取り替えが必要である。このことが、ナノファイバ製造コストを増加させると同時に、製造されたナノファイバの品質を低下させる。ポリマー溶液は、円筒形の回転紡糸電極の表面により、紡糸のための静電界中に比較的ゆっくりと送られる。そのため、ポリマー溶液は表面で徐々に乾き、回転紡糸電極の表面が次に浸かる各場所に、多量のポリマー溶液が固着し、それにより徐々に紡糸プロセスが劣化し、紡糸電極の表面を清掃しなければならない。紡糸電極を清掃するために、紡糸プロセスは中断されなければならない。コード回転紡糸電極において、ポリマー溶液は個別のコードにより静電界中に送られる。個別のコードは活性紡糸区間として働き、紡糸の間、静電界中において位置を変える。このことが、更なる不利な点をもたらす。というのは、紡糸の間、紡糸電極の活性紡糸区間において、静電界の強度が変化し、それにより様々な直径のナノファイバが製造される結果となり、製造されるナノファイバの、質的な均一性が低下する。
【先行技術文献】
【特許文献】
【００１０】
【特許文献１】独国特許発明第１０１３６２５５号明細書
【特許文献２】米国特許第４１４４５３３号明細書
【特許文献３】国際公開第２００５／０２４１０１号
【特許文献４】チェコ共和国特許第２００５−３６０号明細書
【特許文献５】チェコ共和国特許第２００６−５４５号明細書
【発明の概要】
【発明が解決しようとする課題】
【００１１】
本発明の目的は、静電界中において、ポリマー溶液の静電紡糸、とりわけポリマー溶液を含む液体マトリックスの静電紡糸によりナノファイバを製造する方法を提案し、且つその装置を創出することである。それにより、産業用途において、メインテナンス及び調整の必要性を最小にした状態で、一定品質のナノファイバを長期間にわたって製造すること、及び背景技術の不利点を取り除くか又は少なくとも減少させる紡糸電極を設計することが可能になる。
【課題を解決するための手段】
【００１２】
本発明の目的は、静電界中で液体マトリックスを紡糸する本発明方法により達成される。その原理は、紡糸プロセスの間、コードの活性紡糸区間が、収集電極に対して安定した位置を取るようにし、液体マトリックスを、コードの活性紡糸区間への塗布（ａｐｐｌｙ）、又はコードの長さ方向の移動のいずれかにより、コードの活性紡糸区間に送るところにある。
【００１３】
紡糸プロセスの間、コードの活性紡糸区間の位置が安定かつ不変であることにより、生成されるナノファイバは、直径が狭いレンジにおさまり均一性が確保される。それにより、製造されるナノファイバ層の品質が大幅に向上する。紡糸プロセスの全体的な品質向上は、液体マトリックスを活性紡糸区間に送る方法により達成され、その方法は、常に新鮮な品質の液体マトリックスが紡糸されることを確保し、紡糸プロセスを最適化する。前の紡糸サイクルにより、且つ／又は周囲の雰囲気の影響により質が低下し、紡糸電極の紡糸部材の活性紡糸区間に固着した液体マトリックスから、紡糸電極を清掃する目的で紡糸プロセスを中断する必要はない。
【００１４】
請求項２によれば、紡糸の間、静電界中において、静止したコードの活性紡糸区間に液体マトリックスを塗布し、同時に、紡糸によって且つ／又は周囲の雰囲気の影響によって質が低下した液体マトリックスを、静止したコードの活性紡糸区間から拭き取ることが有利である。静止したコードの活性紡糸区間において、新鮮な液体マトリックスを塗布すること、及び液体マトリックスの残余からコード表面を洗浄することが、紡糸プロセスの間に行われ、それにより紡糸の生産性が向上する。
【００１５】
紡糸プロセスの最適化を確保するために、請求項３に記載されるように、液体マトリックスを、その十分な量を確保するために随意的な間隔で塗布し、質が低下した液体マトリックスを、他の随意的な間隔で拭き取ることが有利である。
【００１６】
紡糸プロセスの品質の観点から、質が低下した液体マトリックスの拭き取りを、液体マトリックスを塗布する前に実施し、新旧の液体マトリックスを共に混じり合わせないことが有利である。
【００１７】
同時に、請求項５によれば、液体マトリックスのそれぞれの塗布の前に拭き取りを実施し、活性紡糸区間は、質が低下した液体マトリックスの残余のない状態にし、十分な量の新鮮な液体マトリックスを供給するようにすることが有利である。
【００１８】
紡糸電極が、一つの平面内に隣り合って配置された、より多くの活性紡糸区間を含む場合は、紡糸プロセスの効率のために請求項６による方法が有利であり、いくつかの活性紡糸区間を同時に拭き取るときは、拭き取る活性紡糸区間は互いに隣接しないようにし、拭き取りの間は隣接する活性紡糸区間で紡糸プロセスが実施中であるようにすることが有利である。
【００１９】
本発明方法の他に可能な実施例が請求項７に示される。ここでは、活性紡糸区間を、静電界を通って、その長さ方向に、連続的又は断続的に動かす。そのことにより、液体マトリックスを活性紡糸区間に塗布することが更に可能となり、質が低下した液体マトリックスをコード表面から拭き取ることが更に可能となり、質が低下した液体マトリックスの拭き取りを省略することが可能となる。
【００２０】
前の実施例と同様に、液体マトリックスは、紡糸の間、静電界中において、コードの活性紡糸区間に塗布することが可能であり、停止しているコードにも動いているコードにも塗布することが可能である。
【００２１】
さらに、請求項７による方法により、コードが活性紡糸区間に進入する前に液体マトリックスをコードに塗布することが可能となる。それにより、請求項１１に記載するように、装置及び紡糸電極の設計における可能性がさらに増加する。
【００２２】
本発明による装置の原理は、請求項１２に示すように、紡糸部材のコードの活性紡糸区間が収集電極に対して安定した位置を取り、液体マトリックスの塗布装置がコードに向けて配置されていることに存する。
【００２３】
背景技術によるいくつかの解法において既に明らかになったように、細いワイヤで形成されるコードが、液体マトリックスの静電紡糸に対する非常に適切な手段である。収集電極に対するコードの活性紡糸区間の安定した位置は、紡糸条件の安定性をもたらし、これにより、製造されるナノファイバの品質、特に直径の安定性が向上する。
【００２４】
請求項１３によれば、コードが静止したコードであって、その活性紡糸区間への液体マトリックスの塗布装置、及びコードの活性紡糸区間からの液体マトリックスの拭き取り装置が、その活性紡糸区間に向けて配置されていることが有利である。静止したコードにより、紡糸電極の構造が簡単になる。というのは、そのような紡糸電極はコード駆動手段を含まず、コードを常に伸張する手段も必要としないからである。
【００２５】
質的な変化の小さい紡糸のための液体マトリックスを確保するために、コードの活性紡糸区間への液体マトリックスの塗布装置、及び活性紡糸区間からの液体マトリックスの拭き取り装置が、コードの活性紡糸区間に沿って逆行可能で（ｒｅｖｅｒｓｉｂｌｙ）移動可能に配置されていることが有利である。
【００２６】
コードが、送られた液体マトリックスを通してではなく、高電圧源に直接接続されている場合は、請求項１５によれば、液体マトリックスの塗布装置及び拭き取り装置は、コードの活性紡糸区間に向かって、逆行可能で移動可能に配置されていることが有利である。というのは、これらの装置は、コードの活性紡糸区間から離れた位置においては、紡糸電極と収集電極の間の静電界に影響を与えず、これらの装置は、ナノファイバ製造にもそれらのパラメータにも悪影響を与えないからである。
【００２７】
請求項１６によれば、コードは、その長さ方向に移動可能であり、同時に、そのコードが間断なく動くか断続的に動くかは決められていない。
【００２８】
背景技術と比較すると、紡糸の間、静電界を通って、コードがその長さ方向に動くことにより、コードが、前の紡糸サイクルの間に質が低下した液体マトリックスのないきれいな状態で、紡糸が行われている静電界中に入ることが達成される。それにより、紡糸プロセスの間、コードの表面に新鮮な液体マトリックスだけが存在する。そして、紡糸電極を洗浄する目的で紡糸プロセスを中断させて、前の紡糸サイクルによって且つ／又は周囲の雰囲気の影響によって質が低下した液体マトリックスから、また紡糸電極の紡糸部材の活性紡糸区間に固着した液体マトリックスから、紡糸電極を洗浄する必要はない。
【００２９】
請求項１７による実施例において、紡糸部材のコードは、コードの活性紡糸区間（３１００）の数倍の一定の長さを有し、その始まりは巻き戻しリールに装着され、その終わりは巻き取りリールに装着され、少なくとも巻き取りリールは、巻き取り駆動体と結合される。本実施例において、必要な場合は、コードが、前の紡糸サイクルの間に且つ／又は周囲の雰囲気の影響により質が低下した液体マトリックスの残余がない状態で、コードの活性紡糸区間に進入する。
【００３０】
活性紡糸区間において十分なコードの伸張を得るために、とりわけ、巻き戻しリールが巻き戻し駆動体と結合されることが有利である。
【００３１】
一定の長さのコードが消耗された後の逆行運動におけるコードの他の利用は、請求項１９による配置を可能にする。ここでは、巻き取りリールへのコードの巻き取りの前に、質が低下した液体マトリックスの残余をコードから拭き取るように作動するスパットル（ｓｐａｔｔｌｅ）が、巻き取りリールの前に配置される。
【００３２】
コードの長さ方向に移動可能なコードの他の実施例が請求項２０に記載される。請求項２０によれば、コードは、少なくとも駆動プーリの周囲と伸張プーリの周囲に掛けられた無限ループで形成される。前の実施例と比較すると、この配置は、コードの全長を短くする。しかし、静止したコードと比較すると、駆動プーリに割り当てられる駆動体を必要とする。
【００３３】
一定の長さのコードを有する装置、及び無限ループを形成する無限コードを有する装置は、共に、コードが反対方向に動く２つの活性紡糸区間を有する請求項２１により、有利に実施される。両紡糸区間は、ナノファイバを堆積する平面及び／又は収集電極と平行な平面内に配置される。互いに隣り合うこの配置により、そのような１本のコードを使用して２つの液体マトリックスを紡糸することが可能となる。
【００３４】
長さ方向へのコードの動きが可能な実施例において、コードの活性紡糸区間への液体マトリックスの塗布は、請求項２２により有利に実施される。逆行可能で移動可能な、コードの活性区間への液体マトリックスの塗布装置が、液体マトリックスをコードに、所望の時間に所望の量だけ塗布する。同時に液体マトリックスの所望の量が回転軸（ｍａｎｄｒｅｌ）に塗布されることが、コードの活性紡糸区間に沿った塗布装置の複合運動により達成される。
【００３５】
コードが、送られた液体マトリックスを通してではなく、高電圧源に直接接続されている場合は、液体マトリックスの塗布装置は、コードの活性区間に向かって逆行可能で移動可能に配置されていることが有利である。というのは、これらの装置は、コードの活性紡糸区間から離れた位置においては、紡糸電極と収集電極の間の静電界に影響を与えず、これらの装置は、ナノファイバ製造にもそれらのパラメータにも悪影響を与えないからである。
【００３６】
電界中で液体マトリックスの静電紡糸によりナノファイバ層を製造する装置は、通常、請求項２４に記載するように、隣り合って配置された多数の紡糸部材を含む。収集電極又は収集電極の平面との整列は、製造されるナノファイバ層の均一性を確保する。
【００３７】
請求項２５及び請求項２６は、コードの活性紡糸区間への液体マトリックスの塗布装置の好ましい実施例を記載し、その装置は、他の適切な塗布装置に代替されうる。
【００３８】
コードへの液体マトリックスの塗布装置の実施例のより簡単な形態は、請求項２７から請求項２９までに記載される。それらの請求項によれば、液体マトリックスは活性紡糸区間の前にコードに塗布される。そのような配置により、紡糸領域自体の構成が簡単になる。そのような配置により、静電界は液体マトリックスの塗布装置により影響されず、コードの活性紡糸区間において、液体マトリックスの新鮮さを均一にするという条件が、ある程度満たされる。
【００３９】
製造されたナノファイバ層を取り外す方向に関して、請求項３０から請求項３２までに記載の通り、活性紡糸区間は、この方向と平行に、この方向と直交して、又はこの方向と台形（ｔｒａｎｐｅｚｏｉｄａｌ）を成して配置されてもよい。
【００４０】
上述のすべての本発明装置の実施例において、コードは、導電性材料又は非導電性材料で作製されてもよく、コードが非導電性材料である場合は、コードは、液体マトリックスと恒常的に接触しており、液体マトリックスに電流が加えられる。
【００４１】
本発明による紡糸電極は、請求項３５から請求項５４までに記載されており、基礎的な実施例において、紡糸電極の収容体の中に配置される液体マトリックスの塗布装置が、コードに向けて配置され、紡糸電極の収容体の中のコードの活性紡糸区間は、安定した位置を取っている。
【００４２】
本発明による装置は、添付図面の中で概略的に示される。
【図面の簡単な説明】
【００４３】
【図１】３個の紡糸ユニットを有する装置の実施例の第１の変形の縦断面図である。
【図２】紡糸部材が基層材料の運動方向と平行に配置された一定の長さのコードを含む紡糸電極を有する、図１の装置のＡ−Ａ断面図である。
【図３】紡糸部材が基層材料の運動方向と斜めに配置された一定の長さのコードを含む紡糸電極を有する、図１の装置のＡ−Ａ断面図である。
【図４】紡糸部材が基層材料の運動方向と直角を成すように配置された一定の長さのコードを含む紡糸電極を有する、図１の装置のＡ−Ａ断面図である。
【図５】無限長さのコード及び移動可能な液体マトリックスの塗布装置を備える紡糸部材を有する紡糸電極の不等角投影の断面図である。
【図６】液体マトリックスの容器により形成される、液体マトリックスの塗布装置を伴い、無限長さのコードを備える紡糸部材を有する紡糸電極の不等角投影の断面図である。
【図７】毛細管で形成される移動可能な液体マトリックスの塗布装置を伴い、一定の長さのコードを有する紡糸部材の場合の詳細図である。
【図８】回転ローラで形成される移動可能な液体マトリックスの塗布装置を伴い、一定長さのコードを有する紡糸部材の詳細図である。
【図９】両ブランチが活性紡糸区間を形成する無限コードを有する紡糸部材の詳細図である。
【図１０】固定されたコードを備える紡糸電極を有する装置の縦断面図である。
【図１１】図１０の装置のＡ−Ａ断面図である。
【実施例】
【００４４】
図１及び図２には、液体マトリックスの静電紡糸によりナノファイバを製造する装置の実施例が示されている。液体マトリックスのかなりの部分は、ポリマー又はポリマー混合物の溶液又は融液で形成されている。この装置は紡糸室１を含み、紡糸室１は分離隔壁１１及び１２により３つの紡糸空間に分割され、紡糸空間には紡糸ユニット２が配置され、各紡糸ユニット２は紡糸電極３を含み、紡糸電極３に対向して収集電極４が配置される。紡糸電極３と収集電極４との間に、高い強度の静電界が、周知の方法で生成される。厳密には指定しないが、周知の方法で、基層材料５が紡糸室１内を通過させられる。基層材料５は、図示しない周知の巻き戻し装置で巻き戻され、供給ローラ６１及び６２により紡糸室１の中に送り込まれる。基層材料５は、取り出しローラ７１及び７２により紡糸室１から取り出される。取り出しローラの後、基層材料５は、図示しない周知の方法で、図示しない巻き取り装置に巻き取られる。ここで記載した分離隔壁１１及び１２は、順に続く紡糸ユニット２を相互に遮蔽する役目を果たすのみであり、分離隔壁は本発明にとって本質的ではない。
【００４５】
紡糸電極３は、収容体３２の中に配置された複数の紡糸部材３１を含む。各紡糸部材３１は１本のコード３１０を含み、コード３１０は巻き戻しリール３１１及び巻き取りリール３１２に取り付けられており、巻き戻しリール３１１及び巻き取りリール３１２は、同時にコード３１０の引き伸ばし手段としての役目も持つ。巻き戻しリール３１１と巻き取りリール３１２との間のコード３１０の直線部分は、基層材料５の運動方向と平行になっている。そして、コード３１０の直線部分は、紡糸部材３１のコード３１０の活性紡糸区間３１００を作る。コード３１０は、導電性の細い金属線、又は導電性のない樹脂線でできている。
【００４６】
一つの紡糸電極３の紡糸部材３１の巻き戻しリール３１１は、共通の巻き戻し軸３３に取り付けられ、共通の巻き戻し軸３３は、収容体３２内に取り付けられ、巻き戻し駆動体３４と結合されている。一つの紡糸電極３の紡糸部材３１の巻き取りリール３１２は、共通の巻き取り軸３５に取り付けられ、共通の巻き取り軸３５は、収容体３２内中に取り付けられ、巻き取り駆動体３６と結合されている。巻き戻し駆動体３４及び巻き取り駆動体３６は、周知の方法で機械的または電気的に結合され、活性紡糸区間３１００においてコード３１０の必要な伸張を確保し、また活性紡糸区間３１００においてコード３１０の連続的又は断続的な前進運動を確保する。したがって、各紡糸部材３１のコード３１０は、その長さ方向に移動可能に位置づけられる。このことは、各コードの活性紡糸区間３１００は静電界を通ってその長さ方向に連続的に又は合間を置いて移動することを意味する。一つの紡糸電極３のすべての紡糸部材３１のコード３１０の活性紡糸区間３１００は一つの平面内に配置され、その平面は収集電極４及び基層材料５と平行である。
【００４７】
流体マトリックス３８をコードの活性紡糸区間３１００へ塗布する装置３７が、収容体３２内の一つの紡糸電極３の紡糸部材３１のコード３１０の活性紡糸区間３１００の下に取り付けられている。したがって、コード３１０のそれぞれは、流体マトリックス３８の移送手段を生成する。流体マトリックスの塗布装置３７はスパー３７１を含み、スパー３７１は、収容体３２に移動可能に取り付けられ、図示しない周知の駆動体と結合され、コードの活性紡糸区間３１００の長さに沿ってその逆行可能な運動が確保される。コードの各活性紡糸区間３１００の下にあるスパー３７１の上には、一つの塗布手段３７２が取り付けられている。それは、図示した実施例では、毛細管塗布手段３７２１で形成されている。毛細管塗布手段３７２１の空洞は、スパー３７１の空洞に接続されている。スパー３７１は、図示しない周知の方法で、図示しない流体マトリックス３８の容器に接続されている。流体マトリックス３８は、毛細管塗布手段３７２１の空洞に到達する前に、図示しない周知の電気部材を通過する。電気部材は電位源の一極に接続されている。そして、流体マトリックス３８はコードの活性紡糸区間３１００に必要な電位をもたらす。そのことにより、対応する紡糸部材３１のコードの活性紡糸区間３１００と、それぞれの紡糸ユニット２の収集電極４との間に、高い強度の静電界を生成することが可能になる。この高い強度の静電界により、コードの活性紡糸区間３１００の流体マトリックス３８から、流体マトリックス３８のビームを周知の方法で引き離すことが可能である。流体マトリックス３８のビームは、高い強度の静電界中において即座にナノファイバ８になる。ナノファイバ８は、高い強度の静電界の作用により収集電極４まで運ばれて基層材料５の上に堆積し、ナノファイバの層５１を生成する。流体マトリックス３８は、他の物質をさらに含んでもよく、その物質は、所望の方法で生成されたナノファイバの特性を改変する。
【００４８】
紡糸の間、流体マトリックス３８は、コードの活性紡糸区間３１００の下の流体マトリックス３８の塗布装置３７の運動によって、静電界中において活性紡糸区間３１００に塗布される。図１に示された実施例において、塗布の間、塗布手段３７２は、停止しているコード３１０の活性紡糸区間３１００と接触しながら、移動している。しかし、流体マトリックス３８を塗布する間、コード３１０の運動、言い換えればコード３１０の活性紡糸区間３１００の運動は、停止されない。
【００４９】
図２による実施例では、３つの紡糸ユニット２が、基層材料５の方向に次々に配置され、図中の紡糸ユニット２には３つの紡糸電極３が示されている。第１の紡糸電極３は、４つの紡糸部材３１を含み、４つの紡糸部材３１は、収容体３２の中に配置され、互いに等間隔で隣接する。第２及び第３の電極３は、互いに等間隔で配置された３つの紡糸部材３１を含む。紡糸電極３に続いて、移送材料５の運動方向へ順に続く紡糸手段３１は、その前の紡糸電極３の紡糸手段３１の間の空間に配置されている。そのことにより、ナノファイバの層５１のストライプの形成を減少させるか、またはストライプの形成を完全に防ぐ。
【００５０】
得られるナノファイバの層５１におけるストライプの形成を排除することは、他の方法によっても実現できる。例えば、実施例に示されてはいないが、同数の紡糸手段３１を備えた少なくとも２つの紡糸電極３を含む方法により実現できる。ここで、紡糸手段３１は、収容体３２の中にあり、互いに同じ位置に、互いに等間隔で配置される。順に位置づけられる紡糸電極３の紡糸部材３１を異なる位置とすることは、順に続く紡糸電極３の収容体３２の位置を設定することにより達成される。
【００５１】
図３の実施例では、３つの紡糸ユニットが紡糸室１の中に配置されており、３つの紡糸ユニットの紡糸電極３が図示されている。紡糸室１の内部空間は、前の実施例におけるように紡糸ユニット間の分離隔壁により分離されていない。紡糸電極３は収容体３２を含み、収容体３２の中に、前の実施例と同様の方式で実施される紡糸部材３１が、基層材料の運動方向５２に対して斜めに配置される。紡糸部材の巻き戻しリール３１１並びに巻き取りリール３１２は、図示しない周知の個別の駆動体を備える。駆動体は、活性紡糸区間３１００におけるコード３１０の必要な伸張を確保するために、そして、コード３１０のその長さ方向への連続的又は断続的運動を確保するために結合される。流体マトリックス３８の塗布手段３７２は、コードの活性紡糸区間３１００の下に、移動可能に装着される。その装置は、上述した図１及び図２による実施例と同様の方法で作動する。
【００５２】
図４の実施例では、紡糸室１は、分離隔壁１１により互いに離隔された３つの紡糸ユニット２を備える。紡糸電極３が紡糸ユニットに示されている。紡糸電極３は収容体３２を備える。収容体３２の中に、図１及び図２による実施例と同様に実施される紡糸部材３１が、基層材料５の運動方向５２と直交して配置される。一つの紡糸電極３の紡糸部材３１の巻き戻しリール３１１は、共通の巻き戻し軸３３に装着され、巻き戻し軸３３は、容体３２の中に備えられ、巻き戻し駆動体３４と結合される。一つの紡糸電極３の紡糸部材３１の巻き取りリール３１２は、共通の巻き取り軸３５に装着される。巻き取り軸３５は、収容体３２の中に備えられ、巻き取り駆動体３６と結合される。活性紡糸区間３１００におけるコード３１０の必要な伸張は、紡糸電極３の巻き戻し駆動体３４と巻き取り駆動体３６の間の連携により達成される。一つの紡糸電極３のすべての紡糸部材３１のコード３１０の活性紡糸区間３１００は、収集電極４及び基層材料５と平行な平面内に配置される。その装置は、図１及び図２による実施例と同様の方法で作動する。
【００５３】
図１０及び図１１は本発明による別の代替実施例を示している。その実施例では、２つの紡糸ユニット２が紡糸室１の中に配置されている。２つの紡糸ユニット２のそれぞれが、紡糸電極３及び紡糸電極３に対向して配置される収集電極４とを備え、両電極の間で高い強度の静電界が周知の方法でかけられる。基層材料５が紡糸室１の中を通り、紡糸の間、基層材料５の上にナノファイバ８が堆積し、ナノファイバ層５１になる。各紡糸電極３は収容体３２を含む。個別のコード３１０が、収容体３２の側壁の間に互い一定間隔で張設される。個別のコード３１０は、収容体３２の側壁に堅固に装着され、一定不変の長さであり、基層材料５の平面と平行である。個別のコード３１０は紡糸部材３１を形成し、それらのほぼ全長がコードの活性紡糸区間３１００を形成する。
【００５４】
代表的実施例では、生成されたナノファイバの層５２を取り外す方向において、後続の紡糸電極３のコード３１０は、前の紡糸電極３のコード３１０の間に置かれ、それにより、生成されるナノファイバの層５２のストライプ形成が減少し、或いはストライプ形成がほぼ排除される。
【００５５】
各紡糸電極３のコード３１０の活性紡糸区間３１００の下において、コードの活性紡糸区間３１００への流体マトリックス３８の塗布装置３７が、収容体３２に移動可能に装着される。流体マトリックスの塗布装置３７は、スパー３７１を備える。スパー３７１は、収容体３２に移動可能に装着されており、コードの活性紡糸区間３１００に沿った逆行可能な運動を確保するため、図示されない駆動体と結合される。各活性紡糸区間３１００の下において、流体マトリックス３８の一つの塗布手段３７２が、スパー３７１に装着される。代表的実施例においては、塗布手段３７２は塗布手段３７２１によって形成されている。それは、コードの活性紡糸区間３１００に対して離れたり近づいたりする方向に逆行可能で移動可能に同時に配置される。さらに、コードの活性紡糸区間３１００から流体マトリックス３８を拭き取る装置３７０が、スパー３７１に配置される。装置３７０は、塗布手段３７２と同時に独立に存在し、コードの活性紡糸区間３１００に対して離れたり近づいたりする方向に逆行可能で移動可能に配置される。
【００５６】
活性紡糸区間３１００を電源の一極に接続することにより、又は接地することにより、活性紡糸区間３１００に電位がもたらされる。
【００５７】
図１による実施例で詳細に説明されるように、電位が、コードの活性紡糸区間３１００へ液体マトリックス３８によりもたらされると、塗布手段３７２は、コードの活性紡糸区間３１００のそれぞれと恒常的に接触する。
【００５８】
図示されない実施例では、液体マトリックス３８の塗布手段３７２は、コードの活性紡糸区間３１００それぞれに対して、個別に配置される。各活性紡糸区間３１００に対する液体マトリックス３８の拭き取り装置３７０は、塗布手段３７２と関係なく離れて配置されるか、或いは塗布手段３７２と一緒に配置される。液体マトリックスの塗布手段３７２及び液体マトリックス３８の拭き取り装置３７０の配置により、それらの動作の様々な組合せが可能となる。
【００５９】
例えば、紡糸の間、液体マトリックス３８は、静止した活性紡糸区間３１００に塗布され、活性紡糸区間３１００は、対応する液体マトリックス３８の塗布手段３７２と定常的に接触している。同時に、液体マトリックス３８の塗布手段３７２を介して、活性紡糸区間３１００に電位がもたらされる。紡糸により且つ／又は周囲の雰囲気の作用により質が低下した液体マトリックス３８は、必要な場合に活性紡糸区間３１００から拭き取られる。
【００６０】
或いは、紡糸の間、液体マトリックス３８は、静止状態の活性紡糸区間３１００に塗布され、活性紡糸区間３１００は、対応する塗布手段３７２に対して、塗布の間だけ接触状態にあり、その後は、塗布手段３７２はコードの活性紡糸区間３１００から取り除かれてコードの活性紡糸区間３１００とは接触しない。紡糸により且つ／又は周囲の雰囲気の作用により質が低下した液体マトリックス３８は、必要な場合に、前の実施例と同じ方法で、活性紡糸区間３１００から拭き取られる。
【００６１】
液体マトリックス３８は、静電界の中において、静止状態にあるコードの活性紡糸区間３１００に、随意的な間隔で塗布してもよい。質が低下した液体マトリックス３８は、他の随意的な間隔で、活性紡糸区間から拭き取ってもよい。
【００６２】
質が低下した液体マトリックス３８の拭き取りは、液体マトリックス３８をコードの活性紡糸区間３１００へ塗布する前に実施されてもよく、また、液体マトリックス３８の各塗布の前に実施されてもよい。
【００６３】
一つの平面内に隣り合って配置された、より多くのコードの活性紡糸区間３１００を含む紡糸電極３において、コードの活性紡糸区間３１００から、質が低下して固着した液体マトリックス３８を拭き取ることが、より多くのコードの活性紡糸区間３１００において同時におこなわれる。一方で、順に続くコードの活性紡糸区間３１００が拭き取られる間、常に少なくとも１つのコードの活性紡糸区間３１００が、塗布された液体マトリックス３８を有し、そのコードの活性紡糸区間３１００は、この時点では拭き取られない。
【００６４】
コードは、紡糸電極３の収容体３２の中に固定して移動しないように配置されている。コードの活性紡糸区間３１００は、図１０及び図１１に示すように、基層材料５の運動方向５２、又は生成されたナノファイバの層５２を取り外す方向と平行に配置されてもよい。或いは、活性紡糸区間３１００は、上述の基層材料５の運動方向５２に直交する方向に配置されてもよく、或いは、この方向と任意の所望の角度を形成してもよい。
【００６５】
図５に示す紡糸電極３は収容体３２を含み、収容体３２の中には、紡糸部材３１が配置される。各紡糸部材３１は駆動プーリ３１３及び伸張プーリ３１４を備え、両プーリは無限コード３１０を掛けられる。収集電極４に隣接するコード３１０の直線区間は、活性紡糸区間３１００を形成する。一つの紡糸電極３のすべての紡糸部材３１のコード３１０の活性紡糸区間３１００は、同一平面に配置される。紡糸電極３が装置の紡糸室１の中にある場合は、紡糸電極３は、収集電極４及び基層材料５に平行である。一つの紡糸電極３のすべての紡糸部材３１の駆動プーリ３１３は、駆動プーリの共通の軸３１３１に装着される。軸３１３１は、収容体３２の中に回動可能に装着され、駆動プーリの駆動体３１３２と結合される。駆動体３１３２は、駆動プーリ３１３の軸３１３１に、連続回転運動又は断続回転運動を生じさせる役割がある。個別の紡糸部材３１の各伸張プーリ３１４は、伸張機３１４１に装着される。伸張機３１４１は、伸張プーリ３１４の位置を決め、必要な無限コード３１０の張りを確保する。
【００６６】
少なくとも２つの支持体３２１が、収容体３２上の紡糸部材３１の間に装着される。スパー３７１が支持体３２１上に配置され、すべての紡糸部材３１を横切っている。また、スパー３７１上には、コード３１０の活性紡糸区間３１００への流体マトリックス３８の塗布装置３７が装着され、すべての紡糸部材３１を横切っている。図５の実施例における流体マトリックス３８の塗布装置３７は、コード３１０の活性紡糸区間３１００の長さ方向に逆行可能で移動可能に配置される塗布手段３７２を備える。塗布手段３７２は、流体上部が開かれたマトリックス３８の容器３７２２により形成される。容器３７２２の中には、塗布ローラ３７２３が回動可能に装着される。塗布ローラ３７２３の上部が、それぞれの紡糸電極３の紡糸部材３１のすべてのコード３１０の活性紡糸区間３１００と接触している。塗布ローラ３７２３は、塗布ローラ駆動体３７２４と結合される。流体マトリックス３８の容器３７２２は、図示しない周知の駆動体と結合され、その駆動体によって、コードの活性紡糸区間３１００の下で、逆行可能な、又は断続的な容器３７２２の運動が確保される。コードの活性紡糸区間３１００に沿った、３７２２の運動により又は流体マトリックス３８の塗布装置３７全体の運動により、コードの活性紡糸区間３１００への液体マトリックスの塗布が確保される。
【００６７】
ここには示さない代替実施例において、塗布ローラ３７２３は、周囲の下部が液体マトリックス３８の中に浸けられ、周囲の上部がそれぞれのコード３１０の活性紡糸区間３１００と接触状態にあるディスクシステムと置き換えられる。或いは、液体マトリックス３９の塗布装置３７は、図１〜図４の実施例の毛細管塗布手段３７２１や、可能な他の適切な塗布手段を含んでもよい。
【００６８】
代表的実施例において、活性紡糸区間３１００において紡糸されなかった非繊維状液体マトリックス３８の拭き取り手段３１４２が、各伸張プーリ３１４の下部に配置される。拭き取り手段３１４２は、補助容器３１４３に通じている。
【００６９】
本実施例における紡糸の間、活性紡糸区間３１００のコード３１０は、恒常的且つ連続的に動いてもよく、又は、断続的に動いてもよい。コード３１０が連続的に動く場合は、流体マトリックス３８の塗布装置３７は、駆動プーリ３１３の近くに置かれ、流体マトリックス３８は、ゆっくりと移動する個別の紡糸部材３１のコード３１０に連続的に塗布される。流体マトリックス３８の塗布は、塗布ローラ３７２３の回転により行われ、塗布ローラ３７２３は、その外周によって液体マトリックス３８を容器３７２２から運び出す。コード３１０は、駆動プーリ３１３により動かされ、伸張機３１４１により引っ張られる。コード３１０がその活性紡糸区間３１００を通過した後、紡糸プロセス及び／又は周囲の雰囲気の影響で質が低下した非繊維質の液体マトリックス３８は、伸張プーリ３１４に配置された拭き取り手段３１４２により拭き取られ、補助容器３１４３の中に運び入れられる。コード３１０が断続的に動く場合は、液体マトリックス３８の塗布は、コードの活性紡糸区間３１００に沿った液体マトリックスの塗布装置３７の動きによって実施される。この間、塗布ローラ３７２３は回転し、その周囲により液体マトリックス３８を容器３７２２から運び出す。液体マトリックス３８をコードの活性紡糸区間３１００に塗布した後、液体マトリックスの塗布装置３７は、両端部の一方に位置する。そして、導電性又は非導電性材料で作製されたコード３１０と接触したままコード３１０に電位を伝達するか、或いは、電位が別の方法でコードの活性紡糸区間３１００にもたらされる場合は、液体マトリックスの塗布装置３７は、コード３１０から引き離される。
【００７０】
紡糸電極３の他の実施例を図６に示す。紡糸部材３１は、図５の実施例と同様に収容体３２の中に配置される。紡糸部材３１は、無限コード３１０を掛けられた駆動プーリ３１３と伸張プーリ３１４とを含み、収集電極に隣接する無限コード３１０の直線部分は活性紡糸区間３１００を形成する。一つの紡糸電極３のすべての紡糸部材３１の活性紡糸区間３１００は、一平面内に配置される。収容体３２の中の紡糸部材３１のコード３１０の伸張プーリ３１４は、図５の実施例と同じ方法で、伸張機３１４１上に配置される。一つの紡糸電極３のすべての紡糸部材３１の駆動プーリ３１３は、駆動プーリの共通軸３１３１に装着され、共通軸３１３１は固定容器３７３の中に回動可能に装着される。固定容器３７３は液体マトリックス３８で部分的に満たされ、収容体３２の中に固定的に装着される。駆動プーリ３１３は、コード３１０を掛けられた外周部によって、固定容器３７３の中の液体マトリックス３８の液位の下まで延びている。このことにより、本実施例においては、コード３１０への液体マトリックス３８の塗布装置３７が形成される。そして、コード３１０は、紡糸のために、塗布された液体マトリックス３８と共に活性区間３１００に入る。エンドレス・コード３１０の戻り部分が固定容器３７３の中へ進入する側に、廃棄物容器３７４が備えられる。廃棄物容器３７４は、スパットル３７５を備え、進入する前に、コード３１０は、スパットル３７５を介して駆動プーリ３１３に誘導される。スパットル３７５の働きにより、活性紡糸区間３１００の中で紡糸されなかった液体マトリックス３８の残余がコード３１０から取り除かれる。固定容器３７３の領域に進入する前のコード３１０の径路をより良く定めるために、各紡糸部材３１のコード３１０は、誘導部材３７６により誘導される。誘導部材３７６は、代表的実施例では回転誘導プーリで形成されるが、他の周知の誘導要素で形成されてもよい。
【００７１】
本実施例において、コード３１０は恒常的に動く状態にあり、液体マトリックス３８は、固定容器３７３からコード３１０によって運び出される。駆動プーリ３１３に掛けられているので、動作時に、コード３１０は、固定容器３７３の中の液体マトリックス３８の液位の下まで到達する。駆動プーリ３１３の周囲を離れた後、コード３１０は、液体マトリックス３８をその表面に伴い、紡糸が行われているその活性紡糸区間３１００に入る。コードの活性紡糸区間３１００は、コード３１０が掛けられた伸張プーリ３１４で終了する。コード３１０は、誘導部材３７６及びスパットル３７５を通って駆動プーリ３１３の周囲に戻る。
【００７２】
図７は、巻き戻しリール３１１を含む一つの紡糸部材３１を示す。コード３１０が、巻き戻しリール３１１から、回動可能に装着された入力誘導プーリ３１５及び回動可能に装着された出力誘導プーリ３１６を通って、巻き取りリール３１２に誘導される。巻き戻しリール３１１は、巻き戻し駆動体３４と結合され、巻き取りリール３１２は、巻き取り駆動体３６と結合される。入力誘導プーリ３１５と出力誘導プーリ３１６との間のコード３１０の部分は、活性紡糸区間３１００を形成する。コード３１０の活性紡糸区間３１００への液体マトリックス３８の塗布装置３７が、収集電極４と反対側から、活性紡糸区間３１００に向けて配置される。塗布装置３７は、活性紡糸区間３１００に沿って逆行可能で移動可能に配置されたスパー３７１上に装着された２つの液体マトリックスの毛細管塗布装置３７２１を含む。スパー３７１は、液体マトリックスの入口３７１１を備える。
【００７３】
液体マトリックス３８をコード３１０の活性紡糸区間３１００に塗布する必要がある場合、スパー３７１が、周知の方法で、活性紡糸区間３１００全体に沿って動き出し、流体マトリックス３８は毛細管塗布手段３７２１の中にもたらされる。流体マトリックス３８は、これらの手段から外に押し出され、コード３１０の活性紡糸区間３１００に付着する。十分な量の液体マトリックス３８が塗布された後、スパー３７１は停止し、液体マトリックス３８の塗布は中断される。ひとたびコード３１０の活性紡糸区間３１００の液体マトリックス３８の量が、紡糸可能な最低量に低下すれば、紡糸プロセスが、未だ終了してはいないが、液体マトリックス３８不足のために終了してしまう危険に既にあるときには、スパー３７１は、液体マトリックスの塗布装置３７を再び動かし始める。スパー３７１は、その両死点（ｄｅａｄ  ｐｏｉｎｔ）の間で、１回又は複数回の動きをしてもよい。スパー３７１の動き、即ち毛細管塗布手段３７２１の動きは、活性紡糸区間３１００の領域に紡糸のための十分な量の液体マトリックスが存在するような、頻度及び速度である。
【００７４】
図８は、ナノファイバ８を直線繊維状構造（ｌｉｎｅａｒ  ｆｉｂｒｏｕｓ  ｆｏｒｍａｔｉｏｎ）５０に紡糸するための紡糸ユニット２の実施例を示し、チェコ共和国特許第２００７−１７９号（ＣＺ  ＰＶ  ２００７−１７９）に詳細に記載されている。紡糸ユニット２の紡糸部材３１は、図７の実施例と同じ方法で動作するが、コード３１０の活性紡糸区間３１００への液体マトリックス３８の塗布については、他の塗布装置３７が使用される点で異なる。収集電極４が活性紡糸区間３１００と平行に装着され、また、直線繊維状構造５０が収集電極４と平行に誘導される。直線繊維状構造５０は、活性紡糸区間３１００と収集電極４との間の紡糸空間に入る前に、仮ねじり（ｆａｌｓｅ  ｔｗｉｓｔ）を与えるための周知の装置５００を通過し、直線繊維状構造５０は、紡糸空間を通過したところで、巻き取りローラ７１及び７２により取り除かれる。液体マトリックスの塗布装置３７の塗布手段３７２は、上部が開かれた液体マトリックス３８の容器３７２２を含む。塗布ローラ３７２３が、その容器の中に回動可能に装着され、図示されない駆動体と結合される。塗布ローラ３７２３の上部は、コード３１０の活性紡糸区間３１００と接触している。容器３７２２は、コード３１０の活性紡糸区間３１００に沿って移動可能に装着され、図示しない周知の駆動体と結合される。このことにより、活性紡糸区間３１００の下での、容器３７２２の逆行可能な連続的又は断続的な動きが確保される。塗布ローラ３７２３を有する容器３７２２の動きに関する要求事項は、前の実施例における要求事項と同等である。
【００７５】
図９は、２つの活性紡糸区間３１００を有する紡糸部材３１の実施例を、概略的に示す。エンドレス・コード３１０は、駆動プーリ３１３及び伸張プーリ３１４の周りに掛けられる。駆動プーリ３１３と伸張プーリ３１４との間に、エンドレス・コード３１０が誘導プーリ３１７を介して誘導される。駆動プーリ３１３の側の複数の誘導プーリ３１７は軸上に並ぶ。その共通軸は、駆動プーリ３１３の上に配置され、この駆動プーリ３１３によりはめ込まれる平面と平行で且つ駆動プーリ３１３の回転軸の方向と直交するように配置される。伸張プーリ３１４の側の複数の誘導プーリ３１７は軸上に並ぶ。その共通軸は、伸張プーリ３１４の上に配置され、この伸張プーリ３１４によりはめ込まれる（ｉｎｌａｉｄ）平面と平行で、伸張プーリ３１４の回転軸の方向と直交するように配置される。駆動プーリ３１３は、液体マトリックスの第１の容器３１８の中に回動可能に装着され、その周囲の一部分が液位の下まで延びる。伸張プーリ３１４は、液体マトリックスの第２の容器３１９の中に回動可能に装着され、その周囲の一部分が液位の下まで延びる。両容器の中の液体マトリックス３８は、互いに異なってもよい。それぞれの活性紡糸区間３１００におけるコード３１０は、反対方向に動く。紡糸部材のこの配置により、解決策の種々の変形が可能になる。それらの変形に対して、２つの活性紡糸区間３１００が存在し、それらは、一つの平面内に配置されることが好ましい。また、より多くの紡糸部材３１が、紡糸電極３で隣り合って配置される場合は、すべての紡糸部材のすべての活性紡糸区間３１００が、一つの平面内にある。しかし、図示されない実施例において、一つの紡糸部材３１の各紡糸区間は、他の平面内に配置されてもよい。
【００７６】
図示されない他の実施例によれば、紡糸部材３１は、有限長さの１本のコード３１０を含むか、或いは、２つ以上の活性紡糸区間３１００を含む無限のコード３１０を含む。そのような実施例は、説明された実施例よりも構造に関する要求が多くなるが、本発明の範囲に含まれる。
【００７７】
また、上述の実施例と、その変形例とのすべての組合せ、とりわけ、装置の一部又は装置の要素の一部を、同一または同等の機能を持つ等価物または同様の部品によって置換することにより生じる変形例とのすべての組合せも、本発明の範囲に含まれる。とりわけ、液体マトリックスの塗布装置３７、拭き取り手段３１４２及びスパットル３７５、紡糸部材３１の配置、並びにそれらの部品、駆動体などに関して、上述の実施例とその変形例とのすべての組合せが、本発明の範囲に含まれる。
【符号の説明】
【００７８】
１  紡糸室
１１、１２  分離隔壁
２  紡糸ユニット
３  紡糸電極
３１  紡糸部材
３１０  コード
３１００  コードの活性紡糸区間
３１１  巻き戻しリール
３１２  巻き取りリール
３１３  駆動プーリ
３１３１  駆動プーリ軸
３１３２  駆動プーリ駆動体
３１４  伸張プーリ
３１４１  伸張機
３１４２  液体マトリックスの拭き取り手段
３１４３  補助容器
３１５  入力誘導プーリ
３１６  出力誘導プーリ
３１７  誘導プーリ
３１８  第１の液体マトリックスの容器
３１９  第２の液体マトリックスの容器
３２  収容体
３２１  支持体
３３  巻き戻し軸
３４  巻き戻し駆動体
３５  巻き取り軸
３６  巻き取り駆動体
３７  液体マトリックスの塗布装置
３７０  液体マトリックスの拭き取り装置
３７１  スパー
３７１１  液体マトリックスの入口
３７２  塗布手段
３７２１  毛細管塗布手段
３７２２  上部が開かれた液体マトリックスの容器
３７２３  塗布ローラ
３７２４  塗布ローラ駆動体
３７３  静止した容器
３７４  廃棄物容器
３７５  スパットル
３７６  誘導部材
３８  液体マトリックス
４  収集電極
５  基層材料
５１  ナノファイバ層
５２  基層材料の運動方向
６１、６２  供給ローラ
７１、７２  巻き取りローラ
８  ナノファイバ
【図１】
2010533797.tif 000003
【図２】
2010533797.tif 000004
【図３】
2010533797.tif 000005
【図４】
2010533797.tif 000006
【図５】
2010533797.tif 000007
【図６】
2010533797.tif 000008
【図７】
2010533797.tif 000009
【図８】
2010533797.tif 000010
【図９】
2010533797.tif 000011
【図１０】
2010533797.tif 000012
【図１１】
2010533797.tif 000013
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
少なくとも１つの紡糸電極（３）と前記紡糸電極（３）に対向して配置された収集電極（４）との間の静電界中において液体マトリックス（３８）を紡糸する方法であって、
液体マトリックス（３８）を、コード（３１０）の表面において紡糸し、前記コード（３１０）を前記収集電極（４）に対向して配置し、前記コード（３１０）に活性紡糸区間（３１００）を形成させる、紡糸する方法において、
前記コード（３１０）を静止させるか、又は前記コード（３１０）をその長さ方向に移動可能にするか、又は前記コード（３１０）を、連続的か非連続的のいずれかによりその長さ方向に動かし、
前記コード（３１０）の長さ方向に、前記液体マトリックス（３８）を前記コード（３１０）上に送り、
移動可能な前記液体マトリックス（３８）の塗布装置によって、前記コード（３１０）の前記活性紡糸区間（３１００）へ前記液体マトリックス（３８）を送るか、又は、静止した前記液体マトリックス（３８）の塗布装置によって、前記コード（３１０）をその長さ方向に動かす間に前記液体マトリックス（３８）を送り、前記静止した液体マトリックス（３８）の塗布装置は、前記コード（３１０）の運動方向において、前記活性紡糸区間（３１００）の前に配置されていることを特徴とする紡糸する方法。
【請求項２】
紡糸の間、静電界中において、前記活性紡糸区間（３１００）の静止したコード（３１０）に前記液体マトリックス（３８）を塗布し、さらに、必要な場合には、紡糸によって及び／又は周囲の雰囲気の影響によって質が低下した前記液体マトリックス（３８）を、前記静止したコード（３１０）から拭き取ることを特徴とする、請求項１に記載された紡糸する方法。
【請求項３】
前記液体マトリックス（３８）を、静電界中において、前記活性紡糸区間（３１００）の前記静止したコード（３１０）に随意的な間隔で塗布し、前記質が低下した液体マトリックス（３８）を、前記コード（３１０）から異なる随意的な間隔で拭き取ることを特徴とする、請求項２に記載された紡糸する方法。
【請求項４】
前記質が低下した液体マトリックス（３８）の前記コード（３１０）からの拭き取りを、前記コード（３１０）に前記液体マトリックス（３８）を塗布する前に実施することを特徴とする、請求項３に記載された紡糸する方法。
【請求項５】
前記拭き取りを、前記液体マトリックス（３８）の各塗布の前に実施することを特徴とする、請求項４に記載された紡糸する方法。
【請求項６】
前記紡糸電極（３）が、一つの平面内に隣り合って配置された、より多くの前記コード（３１０）の活性紡糸区間（３１００）を含み、前記紡糸電極（３）における活性紡糸区間（３１００）の前記コード（３１０）からの質が低下して固着した液体マトリックス（３８）の拭き取りが、より多くの前記コード（３１０）の活性紡糸区間（３１００）において同時に行われ、順に続く前記コード（３１０）の活性紡糸区間（３１００）が拭き取られる間、常に少なくとも１つの前記コード（３１０）の活性紡糸区間（３１００）が、その上に塗布された液体マトリックス（３８）を伴っており、前記液体マトリックス（３８）から紡糸を行うことを特徴とする、請求項２から請求項５までのいずれか一項に記載された紡糸する方法。
【請求項７】
前記コード（３１０）を非連続的に動かすことにより、紡糸の間、前記液体マトリックス（３８）を、前記活性紡糸区間（３１００）の前記コード（３１０）に、静電界中において塗布することを特徴とする、請求項１に記載された紡糸する方法。
【請求項８】
前記液体マトリックス（３８）を、前記コード（３１０）の長さ方向の運動において、前記コード（３１０）に塗布することを特徴とする、請求項７に記載された紡糸する方法。
【請求項９】
前記液体マトリックス（３８）を、静止した前記コード（３１０）に塗布することを特徴とする、請求項７に記載された紡糸する方法。
【請求項１０】
少なくとも１つの紡糸電極（３）と前記紡糸電極（３）に対向して配置された収集電極（４）との間の静電界中において液体マトリックス（３８）の静電紡糸によりナノファイバを製造する装置であって、
前記紡糸電極（３）が、コード（３１０）を有する少なくとも１つの紡糸部材（３１）を含み、前記コード（３１０）は、ナノファイバ（５）を堆積する平面及び／又は収集電極（４）に平行な直線部分を含み、前記直線部分が前記コード（３１０）の活性紡糸区間（３１００）を形成する、ナノファイバを製造する装置において、
前記コード（３１０）が静止しており、又は前記コード（３１０）がその長さ方向に移動可能となっており、又は前記コード（３１０）を、連続的か非連続的のいずれかによりその長さ方向に動くようになっており、
前記コード（３１０）の長さ方向において、前記コード（３１０）への前記液体マトリックス（３８）の塗布装置（３７）が、前記コード（３１０）に向けて配置されていることを特徴とする、ナノファイバを製造する装置。
【請求項１１】
前記コード（３１０）が静止したコードであり、前記コード（３１０）への前記液体マトリックス（３８）の前記塗布装置（３７）、及び活性紡糸区間（３１００）の前記コード（３１０）からの前記液体マトリックス（３８）の拭き取り装置（３７０）が、活性紡糸区間（３１００）の前記コード（３１０）に向けて配置されていることを特徴とする、請求項１０に記載された、ナノファイバを製造する装置。
【請求項１２】
前記コード（３１０）への前記液体マトリックス（３８）の前記塗布装置（３７）、及び前記コード（３１０）からの前記液体マトリックス（３８）の前記拭き取り装置（３７０）が、前記紡糸電極（３）の収容体（３２）の中に装着され、前記コードの前記活性紡糸区間（３１００）に沿って逆行可能で移動可能に装着されていることを特徴とする、請求項１１に記載された、ナノファイバを製造する装置。
【請求項１３】
前記コード（３１０）への前記液体マトリックス（３８）の前記塗布装置（３７）、及び前記コード（３１０）からの前記液体マトリックス（３８）の前記拭き取り装置（３７０）が、前記コードの前記活性紡糸区間（３１００）に向かう方向に、逆行可能で移動可能に配置されていることを特徴とする、請求項１１に記載された、ナノファイバを製造する装置。
【請求項１４】
前記コード（３１０）が、その長さ方向に動かせるように装着されていることを特徴とする、請求項１１に記載された、ナノファイバを製造する装置。
【請求項１５】
前記紡糸部材（３１）の前記コード（３１０）が、前記コードの前記活性紡糸区間（３１００）より数倍長い一定の長さを有し、その始まりが巻き戻しリール（３１１）に装着され、その終わりが巻き取りリール（３１２）に装着され、前記巻き取りリール（３１２）が巻き取り駆動体（３６）と結合されていることを特徴とする、請求項１４に記載された、ナノファイバを製造する装置。
【請求項１６】
前記巻き戻しリール（３１１）が巻き戻し駆動体（３４）と結合されていることを特徴とする、請求項１５に記載された、ナノファイバを製造する装置。
【請求項１７】
前記液体マトリックス（３８）のスパットル（３７５）が、前記活性紡糸区間（３１００）の裏側の前記コード（３１０）の運動方向において、前記コード（３１０）の軌道の中の前記巻き取りリール（３１２）の前に配置されていることを特徴とする、請求項１５又は請求項１６に記載された、ナノファイバを製造する装置。
【請求項１８】
前記紡糸部材（３１）の前記コード（３１０）が、少なくとも駆動プーリ（３１３）の周り及び伸張プーリ（３１４）の周りに掛けられたエンドレス・ループで形成されていることを特徴とする、請求項１４に記載された、ナノファイバを製造する装置。
【請求項１９】
前記紡糸部材（３１）の前記コード（３１０）が、２つの活性紡糸区間（３１００）を有し、前記２つの活性紡糸区間（３１００）は、ナノファイバを堆積するための平面及び／又は前記収集電極（４）に平行な平面内に配置され、活性紡糸区間（３１００）の前記コード（３１０）の運動方向が反対方向であることを特徴とする、請求項１４から請求項１８までのいずれか一項に記載された、ナノファイバを製造する装置。
【請求項２０】
前記活性紡糸区間（３１００）の前記コード（３１０）への前記液体マトリックス（３８）の前記塗布装置（３７）が、前記紡糸電極（３）の前記収容体（３２）の中で、前記コード（３１０）の前記活性紡糸区間（３１００）に沿って逆行可能で移動可能に装着されていることを特徴とする、請求項１４から請求項１９までのいずれか一項に記載された、ナノファイバを製造する装置。
【請求項２１】
前記活性紡糸区間（３１００）の前記コード（３１０）への前記液体マトリックス（３８）の前記塗布装置（３７）が、前記コード（３１０）の前記活性紡糸区間（３１００）に対して近づいたり離れたりする方向に逆行可能に配置されていることを特徴とする、請求項２０に記載された、ナノファイバを製造する装置。
【請求項２２】
前記装置が、前記コード（３１０）を備える少なくとも２つの隣り合って配置された紡糸部材（３１）を含み、前記コード（３１０）の活性紡糸区間（３１００）が、前記収集電極（４）又は前記収集電極の平面に平行な平面内に配置されていることを特徴とする、請求項１０から請求項２１までのいずれか一項に記載された、ナノファイバを製造する装置。
【請求項２３】
前記活性紡糸区間（３１００）の前記コード（３１０）への前記液体マトリックス（３８）の前記塗布装置（３７）が、毛細管塗布手段（３７２１）を含むことを特徴とする、請求項１０から請求項２２までのいずれか一項に記載された、ナノファイバを製造する装置。
【請求項２４】
前記液体マトリックス（３８）の前記塗布装置（３７）が、液体マトリックス（３８）の前記容器（３７２２）を備え、塗布ローラ（３７２３）が、前記容器（３７２２）の中に回動可能に装着され、前記塗布ローラ（３７２３）の周囲の一部分が容器（３７２２）内の前記液体マトリックス（３８）の液位の下まで延びており、前記塗布ローラ（３７２３）が、その塗布位置において前記活性紡糸区間（３１００）の前記コード（３１０）に接触することを特徴とする、請求項１０から請求項２２までのいずれか一項に記載された、ナノファイバを製造する装置。
【請求項２５】
前記液体マトリックスの前記塗布装置（３７）が、前記コードの運動方向に、前記コードの前記活性紡糸区間（３１００）の前に配置されていることを特徴とする、請求項１４から請求項１９までのいずれか一項に記載された、ナノファイバを製造する装置。
【請求項２６】
前記液体マトリックス（３８）の前記塗布装置（３７）が、巻き戻しリール（３１１）で形成され、前記巻き戻しリール（３１１）は、液体マトリックス（３８）の容器の中に装着され、前記コード（３１０）が掛けられたその周囲の一部分が、容器内の前記液体マトリックス（３８）の液位の下まで延びていることを特徴とする、請求項２５に記載された、ナノファイバを製造する装置。
【請求項２７】
前記液体マトリックス（３８）の前記塗布装置（３７）が、駆動プーリ（３１３）で形成され、前記駆動プーリ（３１３）は、前記液体マトリックス（３８）の容器の中に装着され、前記コード（３１０）が掛けられたその周囲の一部分が容器内の前記液体マトリックス（３８）の液位の下まで延びていることを特徴とする、請求項２５に記載された、ナノファイバを製造する装置。
【請求項２８】
前記コード（３１０）の前記活性紡糸区間（３１００）が、製造されたナノファイバ（８）層を取り外す方向と平行であることを特徴とする、請求項１０から請求項２７までのいずれか一項に記載された、ナノファイバを製造する装置。
【請求項２９】
前記コード（３１０）の前記活性紡糸区間（３１００）が、製造されたナノファイバ（８）層を取り外す方向と直交することを特徴とする、請求項１０から請求項２７までのいずれか一項に記載された、ナノファイバを製造する装置。
【請求項３０】
前記コードの前記活性紡糸区間（３１００）が、製造されたナノファイバ（８）層を取り外す方向と鋭角又は鈍角を成すことを特徴とする、請求項１０から請求項２７までのいずれか一項に記載された、ナノファイバを製造する装置。
【請求項３１】
前記コード（３１０）が導電性材料で作製されていることを特徴とする、請求項１０から請求項３０までのいずれか一項に記載された、ナノファイバを製造する装置。
【請求項３２】
前記コード（３１０）が非導電性材料で作製され、電流が前記液体マトリックスの中に供給され、前記コード（３１０）又は少なくともその活性紡糸区間（３１００）が前記液体マトリックスと恒常的に接触していることを特徴とする、請求項１０から請求項３０までのいずれか一項に記載された、ナノファイバを製造する装置。
【請求項３３】
液体マトリックスの静電紡糸によりナノファイバを製造する装置の紡糸電極であって、
前記紡糸電極が、少なくとも１つの紡糸部材を含み、前記紡糸部材が、前記紡糸電極の収容体の中に装着され、コードを有しており、前記コードは、ナノファイバを堆積する平面及び／又は収集電極に平行な直線部分を含み、前記直線部分がコードの活性紡糸区間を形成する、紡糸電極において、
前記コード（３１０）が静止しており、又は前記コード（３１０）がその長さ方向に移動可能となっており、又は前記コード（３１０）を、連続的か非連続的のいずれかによりその長さ方向に動くようになっており、
前記コード（３１０）の長さ方向において、前記紡糸電極（３）の前記収容体（３２）の中に配置された前記コード（３１０）への前記液体マトリックス（３８）の塗布装置（３７）が、前記コード（３１０）に向けて配置されていることを特徴とする紡糸電極。
【請求項３４】
前記コード（３１０）が静止したコードであり、前記コード（３１０）の前記活性紡糸区間（３１００）の前記コード（３１０）への前記液体マトリックス（３８）の前記塗布装置（３７）、及び前記活性紡糸区間（３１００）の前記コード（３１０）からの質が低下した液体マトリックス（３８）の拭き取り装置（３７０）が、前記活性紡糸区間（３１００）の前記コード（３１０）に向けて配置されていることを特徴とする、請求項３３に記載された紡糸電極。
【請求項３５】
前記活性紡糸区間（３１００）の前記コード（３１０）への前記液体マトリックス（３８）の前記塗布装置（３７）、及び前記コード（３１０）からの前記液体マトリックス（３８）の前記拭き取り装置（３７０）が、前記紡糸電極（３）の前記収容体（３２）の中に装着され、前記コード（３１０）の前記活性紡糸区間（３１００）の長さ方向に逆行可能で移動可能に装着されていることを特徴とする、請求項３４に記載された紡糸電極。
【請求項３６】
前記コード（３１０）への前記液体マトリックス（３８）の前記塗布装置（３７）、及び前記コード（３１０）からの前記液体マトリックス（３８）の前記拭き取り装置（３７０）が、前記紡糸電極（３）の前記収容体（３２）の中に、前記コード（３１０）の前記活性紡糸区間（３１００）に向かう方向に、逆行可能で移動可能に装着されていることを特徴とする、請求項３５に記載された紡糸電極。
【請求項３７】
前記紡糸電極（３２）の前記収容体（３２）の中の前記コード（３１０）が、その長さ方向に動かせるように装着されていることを特徴とする、請求項３３に記載された紡糸電極。
【請求項３８】
前記紡糸部材（３１）の前記コード（３１０）が、前記コードの前記活性紡糸区間（３１００）より数倍長い一定の長さを有し、その始まりが、前記収容体（３２）の中に回動可能に装着された巻き戻しリール（３１１）に装着され、その終わりが、前記収容体（３２）の中に回動可能に装着された巻き取りリール（３１２）に装着され、前記巻き取りリール（３１２）が巻き取り駆動体（３６）と結合されていることを特徴とする、請求項３７に記載された紡糸電極。
【請求項３９】
前記巻き戻しリール（３１１）が巻き戻し駆動体（３４）と結合されていることを特徴とする、請求項３８に記載された紡糸電極。
【請求項４０】
前記液体マトリックス（３８）のスパットル（３７５）が、前記活性紡糸区間（３１００）の裏側の前記コード（３１０）の運動方向において、前記コード（３１０）の軌道の中の前記巻き取りリール（３１２）の前に配置されていることを特徴とする、請求項３８又は請求項３９に記載された紡糸電極。
【請求項４１】
前記紡糸部材（３１）の前記コード（３１０）が、少なくとも駆動プーリ（３１３）の周り及び伸張プーリ（３１４）の周りに掛けられたエンドレス・ループで形成され、前記駆動プーリ及び前記伸張プーリが前記収容体（３２）の中に回動可能に装着されていることを特徴とする、請求項３７に記載された紡糸電極。
【請求項４２】
前記紡糸部材（３１）の前記コード（３１０）が、２つの活性紡糸区間（３１００）を有し、前記２つの活性紡糸区間（３１００）は、ナノファイバを堆積するための平面及び／又は前記収集電極（４）に平行な平面内に配置され、活性紡糸区間（３１００）の前記コード（３１０）の方向が反対方向であることを特徴とする、請求項３７から請求項４１までのいずれか一項に記載された紡糸電極。
【請求項４３】
前記活性紡糸区間（３１００）の前記コード（３１０）への前記液体マトリックス（３８）の前記塗布装置（３７）が、前記紡糸電極（３）の前記収容体（３２）の中で、前記コード（３１０）の前記活性紡糸区間（３１００）に沿って逆行可能で移動可能に装着されていることを特徴とする、請求項３７から請求項４２までのいずれか一項に記載された紡糸電極。
【請求項４４】
前記コードの前記活性紡糸区間（３１００）への前記液体マトリックス（３８）の前記塗布装置（３７）が、前記コードの前記活性紡糸区間（３１００）に対して近づいたり離れたりする方向に逆行可能で移動可能に装着されていることを特徴とする、請求項４３に記載された紡糸電極。
【請求項４５】
前記紡糸電極が、前記コード（３１０）を備える少なくとも２つの隣り合って配置された紡糸部材（３１）を含み、前記コード（３１０）の活性紡糸区間（３１００）が一つの平面内に配置されていることを特徴とする、請求項３７から請求項４４までのいずれか一項に記載された紡糸電極。
【請求項４６】
前記活性紡糸区間（３１００）の前記コード（３１０）への前記液体マトリックス（３８）の前記塗布装置（３７）が、毛細管塗布手段（３７２１）を含むことを特徴とする、請求項３３から請求項４５までのいずれか一項に記載された紡糸電極。
【請求項４７】
前記液体マトリックス（３８）の前記塗布装置（３７）が、液体マトリックス（３８）の前記容器（３７２２）を備え、塗布ローラ（３７２３）が、前記容器（３７２２）の中に回動可能に装着され、前記塗布ローラ（３７２３）の周囲の一部分が前記容器（３７２２）内の前記液体マトリックス（３８）の液位の下まで延びており、前記塗布ローラ（３７２３）が、塗布位置において前記活性紡糸区間（３１００）の前記コード（３１０）に接触することを特徴とする、請求項３３から請求項４５までのいずれか一項に記載された紡糸電極。
【請求項４８】
前記液体マトリックスの前記塗布装置（３７）が、前記コードの運動方向に、前記コードの前記活性紡糸区間（３１００）の前に配置されていることを特徴とする、請求項３７から請求項４２までのいずれか一項に記載された紡糸電極。
【請求項４９】
前記液体マトリックス（３８）の前記塗布装置（３７）が、巻き戻しリール（３１１）で形成され、前記巻き戻しリール（３１１）は、前記収容体（３２）の中に配置された液体マトリックス（３８）の前記容器の中に装着され、掛けられたコードの周囲の一部分が、容器内の前記液体マトリックス（３８）の液位の下まで延びていることを特徴とする、請求項４８に記載された紡糸電極。
【請求項５０】
前記液体マトリックス（３８）の前記塗布装置（３７）が、駆動プーリ（３１３）で形成され、前記駆動プーリ（３１３）は、前記液体マトリックス（３８）の容器の中に装着され、掛けられたコードの周囲の一部分が容器内の前記液体マトリックス（３８）の液位の下まで延びていることを特徴とする、請求項４８に記載された紡糸電極。
【請求項５１】
前記コード（３１０）が導電性材料で作製されていることを特徴とする、請求項３３から請求項５０までのいずれか一項に記載された紡糸電極。
【請求項５２】
前記コード（３１０）が非導電性材料で作製され、電流がポリマー溶液に供給され、前記コード（３１０）又は少なくともその活性紡糸区間（３１００）が前記ポリマー溶液と恒常的に接触していることを特徴とする、請求項３３から請求項５０までのいずれか一項に記載された紡糸電極。
【国際調査報告】
2010533797.tif 000014
2010533797.tif 000015